(57)【特許請求の範囲】
【請求項１】
水の流入口、流出口を有する有底筒状の外筒と、外筒内に収納され水が出入りする手段を設けた内筒と、内筒の内部に充填される電解促進剤とで構成される電解促進剤添加装置が電解槽の陽極室へと向かう水路上に介在するアルカリイオン水生成器において、該電解促進剤添加装置の内筒又は外筒の少なくとも一方を動かすことで、電解促進剤添加装置内に入る水の量を変えることなく内筒に入る水の量のみを調整して電解促進剤の溶出量を調整する溶出量調整手段を設けて成ることを特徴とするアルカリイオン水生成器。
【請求項２】
水路が電解槽の陰極室に向かう水路と陽極室に向かう水路とに分かれ、その陽極室に向かう水路上に電解促進剤添加装置が介在するアルカリイオン水生成器において、該電解促進剤添加装置へ水が流入していく水路と該電解促進剤添加装置から水が流出していく水路とを結ぶバイパス水路を備え、そのバイパス水路を通過する水の量を調整するための水量調整手段を設けて成ることを特徴とするアルカリイオン水生成器。
【発明の詳細な説明】
【０００１】
【発明の属する技術分野】
本発明は、カルシウム等の電解促進剤を添加する添加装置を具備したアルカリイオン水生成器に関するものである。
【０００２】
【従来の技術】
従来、連続通水式のアルカリイオン水生成器では、ミネラル分の増加や水の電気分解の促進のためにアルカリイオン水生成器内への水路中にカルシウム等の電解促進剤を添加する電解促進剤添加装置を設け、この電解促進剤添加装置内に収納されている電解促進剤を前記水路中の水に添加していた。この電解促進剤添加装置の多くは水の流入口、流出口を有する有底筒状の外筒と、外筒内に収納され水が出入りする手段を設けた内筒と、内筒の内部に充填される電解促進剤とで構成してあり、水の流入口から外筒内に水が入って流出口から外筒の外に出ていくのであるが、この過程で外筒に入った水は内筒に設けた水が出入りする手段を介して内筒に入ってカルシウム等の電解促進剤を溶出させ、これにより外筒の流出口から電解促進剤が溶存した水が流出するようになっている。そして、電解促進剤の溶出量の調整を行うには上記外筒の流入口又は流出口の少なくとも一方に開口度の調整をするための調整弁を設け、これの調整弁を調整することで電解促進剤の溶出量を調整するようにしていた。
【０００３】
【発明が解決しようとする課題】
しかしながら、上記従来例にあっては、外筒の流入口又は流出口に設けた調整弁を調整するので、電解促進剤添加装置内に流入する水量が変わり、電解促進剤添加装置が電解槽の陽極室へ向かう水路に設けてある場合には、調整弁を調整して電解促進剤の溶出量の調整を行うと、電解槽の陽極室に流れる水量と陰極室に流れる水量の比が変わってしまって電気分解性能に影響を与えるという問題がある。
【０００４】
また、電解促進剤添加装置が電解槽の陰極室、陽極室の両方に通じる水路上に設けてある場合には、調整弁を調整して電解促進剤の溶出量の調整を行うと、本体に通水される総通水量が変わってしまって、得られる電解水の量に影響を与えるという問題がある。
本発明は上記の従来例の問題点に鑑みて発明したものであって、電解性能や給水性能に影響を与える電解槽の陰極室と陽極室とを流れる水の比（つまり流量比）や本体への通水量を変化させることなく、電解促進剤の溶出量の調整が可能なアルカリイオン水生成器を提供することを課題とするものである。
【０００５】
【課題を解決するための手段】
上記課題を解決するために本発明のアルカリイオン水生成器は、水の流入口１、流出口２を有する有底筒状の外筒３と、外筒３内に収納され水が出入りする手段を設けた内筒４と、内筒４の内部に充填される電解促進剤８とで構成される電解促進剤添加装置５が電解槽９の陽極室１０へと向かう水路１１ａ上に介在するアルカリイオン水生成器６において、該電解促進剤添加装置５の内筒４又は外筒３の少なくとも一方を動かすことで、電解促進剤添加装置５内に入る水の量を変えることなく内筒４に入る水の量のみを調整して電解促進剤８の溶出量を調整する溶出量調整手段１３を設けて成ることを特徴とするものである。このことにより、内筒４又は外筒３の少なくとも一方を動かすことで、添加装置５内に入る水の量を変えることなく溶出量調整手段１３により内筒４に入る水の量のみを調整して電解促進剤８の溶出量を調整するものである。
【０００６】
また、水路１１が電解槽９の陰極室１２に向かう水路１１ｂと陽極室１０に向かう水路１１ａとに分かれ、その陽極室１０に向かう水路１１ａ上に電解促進剤添加装置５が介在するアルカリイオン水生成器６において、該電解促進剤添加装置５へ水が流入していく水路１１ａ1 と該電解促進剤添加装置５から水が流出していく水路１１ａ2 とを結ぶバイパス水路７を備え、そのバイパス水路７を通過する水の量を調整するための水量調整手段１４を設けて成ることを特徴とするものであってもよい。このような構成とすることで、バイパス水路７に設けた水量調整手段１４を調整することで、電解促進剤添加装置５へ流れる水量を調整して電解促進剤８の溶出量を調整するのであるが、この際、電解促進剤添加装置５へ流れた水もバイパス水路７に流れた水も再び合流して水路１１ａから陽極室１０に流れるので、陽極室１０側に流れる水量を変えることなく電解促進剤８の溶出量が調整できることになる。
【０００７】
【発明の実施の形態】
本発明を以下添付図面に示す実施形態に基づいて説明する。
図１乃至図９に本発明の一実施形態が示してある。図７、図８、図９にはそれぞれアルカリイオン水生成器６の全体を示す斜視図、正面図、平面図が示してあり、この図７、図８、図９に示すようなアルカリイオン水生成器６の概略構成は図６のようになっている。
【０００８】
図６において水道の蛇口などの原水供給部１５に接続した水レバー１６を操作すると水路１１を経て活性炭、中空糸膜等のろ材により構成される浄水カートリッジ部１７に原水が供給されるようになっていて、原水が浄水カートリッジ部１７を通過する際に原水中に含まれるカルキ（残留塩素）や不純物を除去して浄水とするものである。
【０００９】
水路１１は浄水カートリッジ部１７を出ると水路１１ａと水路１１ｂとに分岐し、水路１１ａは電解槽９の陽極室１０に連通し、水路１１ｂは電解槽９の陰極室１２に連通してそれぞれ陽極室１０、陰極室１２に水を供給するようになっている。
ここで、水路１１ａの途中には電解促進剤８を添加するための電解促進剤添加装置５が設けてあり、電解促進剤添加装置５を水が通過する際に乳酸カルシウムやグリセロリン酸カルシウム等の電解促進剤が添加され、電解促進剤が添加された水が水路１１ａから電解槽９の陽極室１０に供給されるものである。
【００１０】
そして、電解槽９において電気分解し、陰極室１２と陽極室１０においてアルカリイオン水と酸性イオン水とに電気分解され、アルカリイオン水の吐水管１８、酸性イオン水の吐水管１９からそれぞれアルカリイオン水、酸性イオン水が吐水されるようになっている。
また、図中３１はサーミスタ、２０は定流量弁、３０は流量計、２１は排水弁、２２は切換弁、２３は電気化学的水質測定装置である。
【００１１】
図１乃至図５には電解促進剤添加装置５の具体例を示すものである。この電解促進剤添加装置５は外筒３と、外筒３内に収納される内筒４と、内筒４内に充填される電解促進剤８とで構成してある。外筒３は上方が開口した底のある有底筒状をしており、底面部に水の流入口１と流出口２とを設けてある。なお、この流入口１と流出口２は側面部に設けてあってもよい。外筒３内には流入口１と流出口２との間に仕切板２５が配設してあり、この仕切板２５は下端部が外筒３底面と接し且つ両端部は外筒３の側面部に接しており、また、仕切板２５は流入口１、流出口２を塞がないようになっている。したがって、仕切板２５により外筒３の下部を流入口１がある部分と流出口２がある部分とに仕切っていることになる。ここで仕切板２５は外筒３に固着してあっもよい。
【００１２】
内筒４内には乳酸カルシウムやグリセロリン酸カルシウム等の電解促進剤８が収納されるもので、この内筒４には水が出入りする手段が設けてある。具体的には内筒４の側面部に複数の孔２４を周方向に隔設してある。この孔２４は内筒４内面側に向かってテーパ面２５が形成してある。また、乳酸カルシウムやグリセロリン酸カルシウム等の電解促進剤８が塊で流出しないように孔２４には細網状部２６が設けてある。内筒４の側面部には両側に仕切羽根部２７が一体に突設してあり、内筒４を外筒３内に入れた状態で両仕切り羽根部２７が外筒３の内面部に当接するようになっており、内筒４の外面部と外筒３の内面部との間の隙間を上記両羽根部２７により２つの隙間に仕切るようになっている。内筒４を外筒３内に入れた場合、内筒４の底面部が外筒３内に設けた仕切板２５の上に載置されるものである。そして、内筒４は外筒３に対して回転自在となっており、内筒４を回転することで、図４のように内筒４の底面部が仕切板２５上に載置されると共に両羽根部２７の下端縁部が仕切板２５の両側の上端縁部に載置される状態と、図５のように内筒４の底面部が仕切板２５上に載置されると共に両羽根部２７の下端縁部が仕切板２５の両側の上端縁部に載置されていない状態とが選択できるようになっている。
【００１３】
内筒４の上部にはＯリング２８を装着した蓋体２９が取付けられ（例えば内筒４に設けた係止部３２に蓋体２９に設けた被係止部３３を係止することで取付けられ）、Ｏリング２８が外筒３の内面部に密接することで電解促進剤添加装置５の水密性が保たれるようになっている。また、上記蓋体２９はＯリング２８によって水密を保ったまま内筒４と共に回転させることができるようになっており、したがって、蓋体２９を回転することで、図４のように、内筒４の羽根部２７と仕切板２５とが一直線状（つまり角度０）に重なった場合と、図５のように内筒４の羽根部２７と仕切板２５とが所定の角度をもってずれている場合とを選択できるのである。
【００１４】
しかして、図４のように内筒４の羽根部２７と仕切板２５とが一直線状（つまり角度０）に重なった場合は、流入口１から入った水は全て細網状部２６を通って内筒４内を通過して流出口２より出ていくため、内筒４に充填した電解促進剤８の溶出速度は早くなる。一方、蓋体２９を回転させて内筒４を回転させ、図５のように内筒４の羽根部２７と仕切板２５とが所定の角度をもってずれた状態とした場合、流入口１から入った水は細網状部２６を通って内筒４内を通過して流出口２より出ていく水と、内筒４を通過せずに仕切板２５の上端縁を乗り越えて直接流出口２から出ていく水とに分かれるため内筒４内に充填した電解促進剤８の溶出速度は遅くなる。そして、仕切り板２５と羽根部２７とのなす角度が大きいほど流入口１から直接流出口２へバイパスして出ていく水の量が多くなり、電解促進剤８の溶出する速度は遅くなっていくものである。したがって、本実施形態においては、外筒３の底面部に設けた仕切板２５と外筒３に対して回転自在に挿入した内筒４に設けた羽根部２７により、添加装置５内に入る水の量を変えることなく内筒４に入る水の量のみを調整して電解促進剤８の溶出量を調整する溶出量調整手段１３が構成されるものである。ここで、仕切板２５は内筒４の外底面に設けられ、羽根部２７が外筒３に設けられていてもよく、また、外筒３を回転するようにしてもよいものである。
【００１５】
次に、本発明の他の実施形態を図１０に基づいて説明する。
本実施形態においては、電解促進剤８の溶出量を調整する手段が異なるのみでアルカリイオン水生成器６の基本的な構成は前述の実施形態と同じであり、重複する説明は省略し、前述の実施形態と異なる点についてのみ説明する。
図１０において、電解槽９の陽極室１０に向かう水路１１ａ上に電解促進剤添加装置５が設けてあり、電解促進剤添加装置５を水が通過することで電解促進剤添加装置５内に収納してある電解促進剤が添加され、この電解促進剤が添加された水が陽極室１０側に供給されるものである。そして、本実施形態においては、上記水路１１ａのうち電解促進剤添加装置５へ水が流入していく水路１１ａ1 と該電解促進剤添加装置５から水が流出していく水路１１ａ2 とをバイパス水路７で結んであり、このバイパス水路７に水量調整手段１４を構成する弁を設けて弁の開度を調整することで、バイパス水路７を通過する水の量を調整するようになっている。つまり、水量調整手段１４を構成する弁を「閉」にした場合、電解槽９の陽極室１０に向かう水は全て電解促進剤添加装置５内を通過するため、電解促進剤の溶出する速度は早い。また、水量調整手段１４を構成する弁を開くことで電解槽９の陽極室１０に向かう水の一部が電解促進剤添加装置５内を通過することなくバイパス水路７を通って陽極室１０側に直接流れるので電解促進剤添加装置５内を通過する水の量が少なくなって電解促進剤の溶出する速度が遅くなる。また、水量調整手段１４を構成する弁の開度が大きくなるほど、バイパス水路７を通過する水は増加し、電解促進剤添加装置５を通過する水が少なくなるため電解促進剤の溶出する速度がより遅くなる。水量調整手段１４を構成する弁としては電磁弁、逆止弁、ロータリー弁であっても構わない。
【００１６】
【発明の効果】
本発明の請求項１記載の発明にあっては、上述のように、水の流入口、流出口を有する有底筒状の外筒と、外筒内に収納され水が出入りする手段を設けた内筒と、内筒の内部に充填される電解促進剤とで構成される電解促進剤添加装置が電解槽の陽極室へと向かう水路上に介在するアルカリイオン水生成器において、該電解促進剤添加装置の内筒又は外筒の少なくとも一方を動かすことで、電解促進剤添加装置内に入る水の量を変えることなく内筒に入る水の量のみを調整して電解促進剤の溶出量を調整する溶出量調整手段を設けるので、電解促進剤添加装置を通過する水量は一定でありながら電解促進剤を収納した内筒を通る水量を調整できて、陽極室に流れる水量を変えず電解性能に影響を与えることなく電解促進剤の溶出量を調整できるものである。
【００１７】
また、請求項２記載の発明にあっては、上述のように、水路が電解槽の陰極室に向かう水路と陽極室に向かう水路とに分かれ、その陽極室に向かう水路上に電解促進剤添加装置が介在するアルカリイオン水生成器において、該電解促進剤添加装置へ水が流入していく水路と該電解促進剤添加装置から水が流出していく水路とを結ぶバイパス水路を備え、そのバイパス水路を通過する水の量を調整するための水量調整手段を設けてあるので、電解槽全体への通水量が一定でありながら電解性能にも影響を与えることなく電解促進剤の溶出量を調整できるものである。
【図面の簡単な説明】
【図１】本発明の電解促進剤添加装置の正面断面図である。
【図２】同上の下面図である。
【図３】同上の一部分解斜視図である。
【図４】同上の平断面図である。
【図５】同上の図４の状態から内筒を一定角度回転した状態を示す平断面図である。
【図６】同上のアルカリイオン水生成器の概略構成図である。
【図７】同上の全体斜視図である。
【図８】同上の正面図である。
【図９】同上の平面図である。
【図１０】本発明の他の実施形態のアルカリイオン水生成器の概略構成図である。
【符号の説明】
１  流入口
２  流出口
３  外筒
４  内筒
５  電解促進剤添加装置
６  アルカリイオン水生成器
７  バイパス水路
８  電解促進剤
９  電解槽
１０  陽極室
１１  水路
１１ａ  水路
１１ｂ  水路
１３  溶出量調整手段１３
１４  水量調整手段
【図１】
0003893482.tif 000002
【図２】
0003893482.tif 000003
【図３】
0003893482.tif 000004
【図４】
0003893482.tif 000005
【図５】
0003893482.tif 000006
【図６】
0003893482.tif 000007
【図７】
0003893482.tif 000008
【図８】
0003893482.tif 000009
【図９】
0003893482.tif 000010
【図１０】
0003893482.tif 000011